(57)【要約】【課題】エネルギー使用量を正確に比較することができるエネルギー管理システムを提供する。【解決手段】エネルギー管理システムは、設備が使用したエネルギーの量を記憶した記憶部と、指定された条件に対応した期間を検索する検索部と、前記検索部により検索された期間において前記設備が使用したエネルギーの量に関する情報を前記記憶部から抽出する抽出部と、を備えた。当該構成を備えることにより、エネルギー使用量を正確に比較することができる。【選択図】図１
2014232374.tif 000002
【特許請求の範囲】
【請求項１】
設備が使用したエネルギーの量を記憶した記憶部と、
指定された条件に対応した期間を検索する検索部と、
前記検索部により検索された期間において前記設備が使用したエネルギーの量に関する情報を前記記憶部から抽出する抽出部と、
を備えたエネルギー管理システム。
【請求項２】
前記検索部は、指定された気温に対応した条件において空調設備が稼動していた期間を検索し、
前記抽出部は、前記検索部により検索された期間に前記空調設備が使用したエネルギーの量に関する情報を前記記憶部から抽出する請求項１に記載のエネルギー管理システム。
【請求項３】
前記検索部は、指定された出勤日数の条件に対応した期間を検索し、
前記抽出部は、前記検索部により検索された期間に空調設備が使用したエネルギーの量に関する情報を前記記憶部から抽出する請求項１に記載のエネルギー管理システム。
【請求項４】
前記検索部は、指定された明るさの条件に対応した期間を検索し、
前記抽出部は、前記検索部により検索された期間に照明設備が使用したエネルギーの量に関する情報を前記記憶部から抽出する請求項１に記載のエネルギー管理システム。
【発明の詳細な説明】
【技術分野】
【０００１】
この発明は、エネルギー管理システムに関するものである。
【背景技術】
【０００２】
例えば、特許文献１においては、各設備のエネルギー使用量に関する情報を比較表示させるエネルギー管理システムが提案されている。当該エネルギー管理システムによれば、エネルギー使用量の抑制に対する意識向上を促すことができる。
【先行技術文献】
【特許文献】
【０００３】
【特許文献１】特開２００６−１８５３１８号公報
【特許文献２】特開２００２−２５９５０８号公報
【発明の概要】
【発明が解決しようとする課題】
【０００４】
しかしながら、特許文献１に記載のものにおいては、比較対象の条件が異なる場合、エネルギー使用量を正確に比較することができない。
【０００５】
この発明は、上述の課題を解決するためになされた。この発明の目的は、エネルギー使用量を正確に比較することができるエネルギー管理システムを提供することである。
【課題を解決するための手段】
【０００６】
この発明に係るエネルギー管理システムは、設備が使用したエネルギーの量を記憶した記憶部と、指定された条件に対応した期間を検索する検索部と、前記検索部により検索された期間において前記設備が使用したエネルギーの量に関する情報を前記記憶部から抽出する抽出部と、を備えた。
【発明の効果】
【０００７】
この発明によれば、エネルギー使用量を正確に比較することができる。
【図面の簡単な説明】
【０００８】
【図１】この発明の実施の形態１におけるエネルギー管理システムの構成図である。
【図２】この発明の実施の形態１におけるエネルギー管理システムのサーバの構成図である。
【図３】この発明の実施の形態１におけるエネルギー管理システムの動作を説明するためのフローチャートである。
【発明を実施するための形態】
【０００９】
この発明を実施するための形態について添付の図面に従って説明する。各図中、同一又は相当する部分には同一の符号が付される。当該部分の重複説明は適宜に簡略化ないし省略される。
【００１０】
実施の形態１．
図１はこの発明の実施の形態１におけるエネルギー管理システムの構成図である。
【００１１】
図１において、図示しないビルには、ビル設備１が設けられる。例えば、ビル設備１は、受変電設備１ａ、空調設備１ｂ、照明設備１ｃ、電力計測器１ｄなどからなる。
【００１２】
ビル設備１には、コントローラ２が接続される。例えば、受変電設備１ａには、コントローラ２ａが接続される。例えば、空調設備１ｂには、コントローラ２ｂが接続される。例えば、照明設備１ｃには、コントローラ２ｃが接続される。例えば、電力計測器１ｄには、コントローラ２ｄが接続される。例えば、コントローラ２ａ〜２ｄは、図示しない電気室に組み込まれる。例えば、コントローラ２ａ〜２ｄは、図示しない電気配線の領域に組み込まれる。
【００１３】
コントローラ２ａ〜２ｄには、サーバ３が接続される。サーバ３は、図示しないＬＡＮを介してコントローラ２ａ〜２ｄに接続する。例えば、サーバ３は、図示しない管理人室に設けられる。サーバ３には、図示しない表示部が設けられる。
【００１４】
サーバ３は、コントローラ２ａ〜２ｄを介して、受変電設備１ａ、空調設備１ｂ、照明設備１ｃ、電力計測器１ｄなどのエネルギーを一元的に管理する。サーバ３は、受変電設備１ａ、空調設備１ｂ、照明設備１ｃ、電力計測器１ｄなどの稼動状況を正確に把握する。サーバ３は、受変電設備１ａ、空調設備１ｂ、照明設備１ｃ、電力計測器１ｄなどのエネルギーの使用状況を正確に把握する。サーバ３は、受変電設備１ａ、空調設備１ｂ、照明設備１ｃ、電力計測器１ｄなどに対し効率的なエネルギーの利用を指示する。
【００１５】
この際、表示部には、監視画面が表示される。監視画面は、エネルギーの使用状況、ビル設備の稼動状況などを含む。
【００１６】
次に、図２を用いて、サーバ３を説明する。
図２はこの発明の実施の形態１におけるエネルギー管理システムのサーバの構成図である。
【００１７】
図２に示すように、サーバ３は、比較対象期間検索部３ａ、エネルギーデータ抽出部３ｂを備える。
【００１８】
比較対象期間検索部３ａは、第１記憶部、第２記憶部、第３記憶部を備える。第１記憶部は、気温、湿度などの環境データを記憶する。第２記憶部は、ビル設備１の各種設備の稼動データを記憶する。第３記憶部は、平日、休日などのカレンダ情報を記憶する。例えば、第１記憶部、第２記憶部、第３記憶部は、過去１０年分の内容を記憶する。比較対象期間検索部３ａは、第１記憶部と第２記憶部と第３記憶部とに記憶された内容に基づいて、利用者から指定された条件に対応した期間を検索する。
【００１９】
エネルギーデータ抽出部３ｂは、第４記憶部を備える。第４記憶部は、ビル設備１の各種設備が使用したエネルギーの量をエネルギーデータとして記憶する。例えば、第４記憶部は、過去１０年分の内容を記憶する。エネルギーデータ抽出部３ｂは、第４記憶部に記憶されたエネルギーデータの中から比較対象期間検索部３ａに検索された期間のエネルギーデータを抽出する。
【００２０】
次に、図３を用いて、エネルギー管理システムの動作を説明する。
図３はこの発明の実施の形態１におけるエネルギー管理システムの動作を説明するためのフローチャートである。
【００２１】
ステップＳ１では、利用者は、エネルギー使用量をグラフなどで比較するか否かを判断する。ステップＳ１でエネルギー使用量をグラフなどで比較しない場合は、ステップＳ１の判断が繰り返される。ステップＳ１でエネルギー使用量をグラフなどで比較する場合は、ステップＳ２に進む。
【００２２】
ステップＳ２では、利用者は、比較対象の期間を指定する。例えば、利用者は、ビル設備１の取り替え前の期間を指定したりビル設備１の運用改善前の期間を指定したりする。具体的には、利用者は、比較対象の期間として、「昨年」、「２０１２年６月〜２０１２年９月」、「昨日より前」などを指定する。
【００２３】
その後、ステップＳ３に進み、利用者は、比較条件を指定する。例えば、利用者は、比較条件として、「気温」、「湿度」、「稼働時間」、「カレンダ」などを指定する。
【００２４】
その後、ステップＳ４に進み、比較対象期間検索部３ａは、利用者に指定された比較対象の期間の範囲で比較条件に対応した期間を検索する。例えば、「気温」が指定された場合、比較対象期間検索部３ａは、外気の最高気温、最低気温、平均気温が比較的近い期間を検索する。例えば、「稼働時間」が指定された場合、比較対象期間検索部３ａは、ビル設備１の稼働時間が比較的近い期間を検索する。
【００２５】
その後、ステップＳ５に進み、エネルギーデータ抽出部３ｂは、比較対象期間検索部３ａが検索した期間のエネルギーデータを抽出する。その後、ステップＳ６に進み、サーバ３の表示部は、エネルギーデータ抽出部３ｂが抽出したエネルギーデータを棒グラフなどで表示する。
【００２６】
以上で説明した実施の形態１によれば、指定された条件に対応した期間において、エネルギーデータが抽出される。このため、ビル設備１のエネルギー使用量を正確かつ簡単に比較することができる。当該比較により、ビル設備１を取り替えた際の効果を正確に把握することができる。ビル設備１の運用を変更した際の効果を正確に把握することができる。その結果、エネルギー使用量の抑制に関し、ＰＤＣＡを適切に繰り返すことができる。
【００２７】
例えば、空調設備１ｂの取り替えの効果を把握する場合は、期間を１ヶ月程度とし、気温と空調設備１ｂの稼働時間とを指定すればよい。この際、取り替え前後の空調設備１ｂのエネルギー使用量を棒グラフなどで比較すれば、取り替え前後の空調設備１ｂのエネルギー使用量を正確に比較することができる。
【００２８】
例えば、就業時間外に空調設備１ｂを停止する運用の効果を把握する場合は、就業時間、出勤日数などを指定すればよい。この際、運用前後の空調設備１ｂのエネルギー使用量を棒グラフなどで比較すれば、運用前後の空調設備１ｂのエネルギー使用量を正確に比較することができる。
【００２９】
例えば、ビルの外が明るい場合に照明設備１ｃの照度を落としたり照明設備１ｃを消灯したりする運用の効果を把握する場合は、期間を１ヶ月程度とし、出勤日数を指定すればよい。この場合、曇り、晴れなどの天候のばらつきを減らすことができる。この際、運用前後の照明設備１ｃのエネルギー使用量を棒グラフなどで比較すれば、運用前後の照明設備１ｃのエネルギー使用量を正確に比較することができる。
【００３０】
なお、ビル設備１以外の設備に対し、指定された条件に対応した期間において、エネルギーデータを抽出してもよい。例えば、工場の設備に対し、指定された条件に対応した期間において、エネルギーデータを抽出してもよい。この場合でも、設備のエネルギー使用量を正確かつ簡単に比較することができる。
【符号の説明】
【００３１】
１  ビル設備、  １ａ  受変電設備、  １ｂ  空調設備、  １ｃ  照明設備、  １ｄ  電力計測器、  ２  コントローラ、  ２ａ〜２ｄ  コントローラ、  ３  サーバ、  ３ａ  比較対象期間検索部、  ３ｂ  エネルギーデータ抽出部
【図１】
2014232374.tif 000003
【図２】
2014232374.tif 000004
【図３】
2014232374.tif 000005